(57)【要約】【課題】本発明は建築、構築物の外装を形成する外装材に関するものである。【解決手段】金属製表面材１と裏面材２間に芯材３を形成し、金属製表面材１の上下端部に雄雌連結構造を形成した長尺状の外装材Ａにおいて、金属製表面材１の化粧面６全面には複数個の屋外側に突出した垂直平面状の頂面６ａを形成したブロックＢを形成すると共に、ブロックＢの頂面６ａの上端および／または下端には、上方に傾斜した上傾斜平面６ｂ、下方に傾斜した下傾斜平面６ｃを形成し、ブロックＢの頂面６ａの左端および／または右端には、左方に傾斜した左傾斜平面６ｅ、右方に傾斜した右傾斜平面６ｆを形成した外装材Ａである。【選択図】図１
2016008396.tif 000002
【特許請求の範囲】
【請求項１】
金属製表面材と裏面材間に芯材を形成し、金属製表面材の上下端部に雄雌連結構造を形成した長尺状の外装材において、金属製表面材の化粧面全面には複数個の屋外側に突出した垂直平面状の頂面を形成したブロックを形成すると共に、ブロックの頂面の上端および／または下端には、上方に傾斜した上傾斜平面、下方に傾斜した下傾斜平面を形成し、ブロックの頂面の左端および／または右端には、左方に傾斜した左傾斜平面、右方に傾斜した右傾斜平面を形成したことを特徴とする外装材。
【発明の詳細な説明】
【技術分野】
【０００１】
本発明は建築、構築物の外装を形成する外装材に関するものである。
【背景技術】
【０００２】
一般に、金属製板材をロール成形、プレス成形等して加工し、化粧面に凹凸を形成した外装材は数多く上市されている。（例えば、特許文献１〜４参照）。
【先行技術文献】
【特許文献】
【０００３】
【特許文献１】特開平１１−２４０２９４号公報
【特許文献２】特開２０００−１２０２５１号公報
【特許文献３】特開２００２−２３５４２３号公報
【特許文献４】特開２００９−１６７７７５号公報
【発明の概要】
【発明が解決しようとする課題】
【０００４】
特許文献１は「エンボス金属板」に係り、金属板をエンボスロール間に通して縦横溝目地を深くエンボシングする場合も金属板の両端の平坦部の平坦度を保つことが出来るようにしたものである。特許文献２は「エンボス加工された装飾板」に係り、ブロックにお互い角度を持って交差する２種類の斜線を基本とする平衡溝模様が刻設することにより、光の反射の影響により見た方向によって色調等が異なる効果が発揮させるものである。また、特許文献３は「壁材」に係り、凸部領域の表面に少なくとも４方向の略平行凹凸縞模様を形設して、光源の位置の変化、見る方向の変化によって、色調、色の濃淡が多様に変化するものが記載されている。さらに、特許文献４は「エンボス加工金属製外壁材」に係り、斜平面の位置が互いに異なる区画面を、それぞれ交互に長手方向に隣接する装飾面を形成したものである。
【０００５】
しかしながら、特許文献１〜４共に、金属製板材の化粧面にエンボスを施して意匠性、加工性等を向上する思想は存在するものの、単調な外観が繰り返され、画一化された光りの反射を利用しただけのもので有り、今までに無いような立体感の強化を図ったものは無かった。また、特許文献４は区画面に形成された斜平面の位置が、長手方向に沿って上、下、上、下、・・・のように斜平面交互に繰り返された単調な模様でしかなかった。
【課題を解決するための手段】
【０００６】
本発明はこのような欠点を解決するために、金属製表面材と裏面材間に芯材を形成し、金属製表面材の上下端部に雄雌連結構造を形成した長尺状の外装材において、金属製表面材の化粧面全面には複数個の屋外側に突出した垂直平面状の頂面を形成したブロックを形成すると共に、ブロックの頂面の上端および／または下端には、上方に傾斜した上傾斜平面、下方に傾斜した下傾斜平面を形成し、ブロックの頂面の左端および／または右端には、左方に傾斜した左傾斜平面、右に傾斜した右傾斜平面を形成した外装材を提供するものである。
【発明の効果】
【０００７】
本発明に係る外装材によれば、ブロックの上下何れかに、ブロックよりも細く、傾斜が緩い傾斜平面を形成したために、（１）細い傾斜平面を形成したために、ブロック同士の上下の位置関係に差が生まれ、ブロック同士の前後の位置関係が凹凸に形成されているかのような錯覚を生じさせる意匠となる。ブロックの左右何れかに、傾斜が緩い傾斜平面を形成したために、（２）左右にもブロック同士の位置関係に差が生まれ、ブロック同士の前後の位置関係が、さらに助長されているかのような錯覚を生じさせる意匠となる。等の特徴、効果がある。
【図面の簡単な説明】
【０００８】
【図１】本発明に係る外装材の代表例を示す断面図である。
【図２】本発明に係る外装材の代表例を示す部分拡大断面図である。
【図３】本発明に係る外装材の施工状態を示す断面図である。
【図４】本発明に係る外装材の化粧面を示す正面図である。
【図５】本発明に係る外装材の化粧面のブロックの実施例を示す断面図である。
【図６】本発明に係る外装材の化粧面のブロックの実施例を示す断面図である。
【図７】本発明に係る外装材の化粧面のブロックの実施例を示す断面図である。
【図８】本発明に係る外装材の化粧面のブロックの実施例を示す断面図である。
【発明を実施するための形態】
【実施例】
【０００９】
以下に図面を用いて、本発明に係る外装材の一実施例について詳細に説明する。すなわち、外装材Ａは図１、図２（ａ）、（ｂ）に示すように、金属製表面材１と裏面材２で例えば合成樹脂発泡体からなる芯材３をサンドイッチした外装材Ａである。また、図３は施工状態を示す断面図であり、αは躯体、βは固定具、γは連結部である。
【００１０】
金属製表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をエンボスロール成形、あるいはプレス成形したものである。また、裏面材２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００１１】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、金属製表面材１、もしくは裏面材２の裏面側に吐出し、加熱して反応・発泡・硬化させて金属製表面材１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１２】
外装材Ａ同士は、係合片１０が嵌合溝１６へ、係合溝１１には嵌合片１４が連結されることにより、図３に示すように連結されるものである。
【００１３】
外装材Ａの全体形状の一例としては図１、図２（ａ）、（ｂ）に示すように、長尺で金属製の薄板からなる金属製表面材１と裏面材２間に芯材３をサンドイッチし、幅方向の一端に形成した雄型連結部４、他端に形成した雌型連結部５とから形成し、化粧面６の下端には側壁７、上端には側壁８を形成したものである。
【００１４】
さらに詳説すると、雄型連結部４は化粧面６下端を裏面側に屈曲した側壁７と、側壁７の先端を上方へ突出した上面９と、上面９の先端を下方に屈曲した係合片１０と、上面９と係合片１０とからなる係合溝１１とから形成したものである。
【００１５】
雌型連結部５は化粧面６の上端を裏面側に屈曲した側壁８と、側壁８の先端を上方に屈曲した目地底面１２と、目地底面１２の先端を折り返し下方に突出した下面１３と、目地底面１２と下面１３とからなる嵌合片１４と、下面１３の先端を上方に屈曲して突出した固定面１５と、下面１３と固定面１５とから形成した嵌合溝１６とから形成したものである。なお、Ｐは防水性強化のために形成したパッキンである。
【００１６】
化粧面６には図１、図４（ａ）、（ｂ）に示すように複数本の縦目地Ｔと横目地Ｙを形成し、短辺６Ｔと長辺６Ｙとから横長に形成した、複数段（図においては５段）、複数列の大きさの異なるブロックＢを形成したものである。
【００１７】
このブロックＢは、図１、図４（ａ）に示すように、幅の広い垂直平面状の頂面６ａ、頂面６ａの上端あるいは下端に上向きに傾斜した幅の狭い上傾斜平面６ｂを、頂面６ａの上端あるいは下端に下向きに傾斜した幅の狭い下傾斜平面６ｃよりなる傾斜平面Ｋを形成するものである。このように、横長に細いブロックを形成することにより、メインブロックである頂面６ａ同士の位置関係に差が生まれ、ブロックＢ同士の位置関係が凹凸になっているかのように錯覚させるものである。
【００１８】
図５（ａ）〜（ｅ）、図６（ａ）、（ｂ）は、傾斜平面Ｋの断面を示すものであり、図５（ａ）〜（ｅ）において、（ａ）図は傾斜平面Ｋを形成しない横目地Ｙ、（ｂ）図はブロックＢの下端に下傾斜平面６ｃを形成した横目地Ｙ、(ｃ)図はブロックＢの上端に下傾斜平面６ｃを形成した横目地Ｙ、（ｄ）図はブロックＢの下端に上傾斜平面６ｂを形成した横目地Ｙ、（ｅ）図はブロックＢの上端に上傾斜平面６ｂを形成した横目地Ｙである。
【００１９】
図６（ａ）、（ｂ）において、（ａ）図は横目地Ｙの上に上傾斜平面６ｂ、横目地Ｙの下に下傾斜平面６ｃ形成した横目地Ｙ、（ｂ）図は横目地Ｙの上に下傾斜平面６ｃ、横目地Ｙの下に上傾斜平面６ｂ形成した横目地Ｙである。
【００２０】
図７（ａ）〜（ｄ）は図４（ｂ）にａ−ａ線断面図、ｂ−ｂ線断面図、ｃ−ｃ線断面図、ｄ−ｄ線断面図を示すものであり、（ａ）図は傾斜平面Ｋを形成しない横目地Ｙ、（ｂ）図はブロックＢの左端に左傾斜平面６ｅを形成した縦目地Ｔ、(ｃ)図はブロックＢの右端に右傾斜平面６ｆを形成した縦目地Ｔ、（ｄ）図はブロックＢ間の両端に傾斜平面Ｋを形成した縦目地である。また、図８（ａ）〜（ｃ）に示すように縦目地Ｔ部分を形成することが出来るものである。
【００２１】
このように、ブロックＢの左右何れかに他辺より傾斜が緩い辺を設けることで、上下の傾斜平面Ｋの形成と、左右にも傾斜平面Ｋを形成することにより、さらに動きのあるブロックＢとなり、凹凸に見える感覚が増幅されるものである。
【００２２】
横目地Ｙは図では４本形成するものであり、図４（ａ）に示すように、幅の異なるダミー目地Ｒ１とＲ２等の複数の幅の横目地Ｙを形成することにより、図３に示すように外装材Ａを嵌合した際に出来る嵌合目地が目立たないようにするためと、施工時のバラつきや嵌合目地が設定寸法より狭くなったりあるいは広くなったりした場合でも、全体的に嵌合目地と、横目地Ｙが調和され、目立たなく出来る作用効果が有るものである。
【００２３】
図５（ｄ）〜（ｅ）に図示されたブロック目地６ｄは、頂面６ａの下端あるいは上端に形成され、ブロックＢ内における広幅ブロックと幅狭ブロック間の境界を明確化し、ブロックＢ同士の位置関係が凹凸になっているかのように錯覚させるのを助長する効果を有するものである。
【００２４】
傾斜平面との境界に形成された段差Ｄは、頂面６ａと傾斜平面Ｋ間に形成することにより、金属製表面材１上に塗装を施す際に明確な段差Ｄを形成することにより境界を明確化し、塗装管理の簡素化と確実化が図れるものである。
【００２５】
頂面６ａには図４に示すような凹凸模様１７（エンボス模様）を形成するものである。また、図に示すように凹凸模様１７を粗に形成したブロックＢ（手前に有るように見える）、密に形成したブロックＢ（奥まって見える）のように形成することにより、動きのある壁面を形成出来るものである。
【符号の説明】
【００２６】
α  躯体
β  固定具
γ  連結目地
Ａ  外装材
Ｂ  ブロック
Ｄ  段差
Ｋ  傾斜平面
Ｐ  パッキン
Ｒ１  ダミー目地
Ｒ２  ダミー目地
Ｔ  縦目地
Ｙ  横目地
１  金属製表面材
２  裏面材
３  芯材
４  雄型連結部
５  雌型連結部
６  化粧面
６ａ  頂面
６ｂ  上傾斜平面
６ｃ  下傾斜平面
６ｄ  ブロック目地
６ｅ  左傾斜平面
６ｆ  右傾斜平面
６Ｔ  短辺
６Ｙ  長辺
７  側壁
８  側壁
９  上面
１０  係合片
１１  係合溝
１２  目地底面
１３  下面
１４  嵌合片
１５  固定面
１６  嵌合溝
１７  凹凸模様
【図１】
2016008396.tif 000003
【図２】
2016008396.tif 000004
【図３】
2016008396.tif 000005
【図５】
2016008396.tif 000006
【図６】
2016008396.tif 000007
【図７】
2016008396.tif 000008
【図８】
2016008396.tif 000009
【図４】
2016008396.tif 000010